(57)【要約】      （修正有）【課題】各種電子機器のバンド類等の基体に固定する従来技術を構成する多数の各種複雑な部品の点数と製造工程を削減し、全体の製造コストを低減及び長方形等の異形電子機器を基体へ着脱する従来技術の問題を解消する。【解決手段】弾力性ある合成樹脂又は半柔軟性合成樹脂で収納容器を単一部品化し、従来技術に必要とされた複数の部品点数と製造コストを低減し、円形又は非円形の一体成型収納容器２の外周部上下部に環状形に施設されたつば状突端部２ａで上下から基体１ａを挟み込み、それぞれのつば状突出部と基体に複数の刺繍穴２ｂを施設し刺繍糸２ｃで刺繍留し、収納容器を基体に確実に固定し、指先で円形又は非円形の電子機器の上面から一体成型収納容器内の格納庫に圧入格納及び保持し、一方で裏面から円形又は非円形の電子機器を指先で押し出す方法で消費者が日常的に且つ平易に着脱できる収納システムを特徴とする発明。【選択図】図６
2017197893.tif 000002
【特許請求の範囲】
【請求項１】
時計、スマートウオッチ、宝飾品、ＬＥＤライト、歩数計、カロリー消費計、スコアカウンター、ストップウオッチ、その他運動値測定器、心拍計、脈拍計、血圧計、その他健康値測定器、測定値解析器、各種センサー類、ＧＰＳ端末、眠気警告器、各種受発信端末器、電池又は充電器等の単体又は複合体を搭載した単一又は複数の円形又は非円形電子機器類を汗ふき汗ぬぐいに便利でソフトな布製（蓄光性を帯びた素材及びセンサー因子が縫い込まれた素材を含む）リストバンド、或いはヘアー・バンド、ストラップ、グローブ、ソックス、シューズ、帽子、その他身の回り品、衣服類等の各種基体の貫通穴に施設された単一又は複数の円形又は非円形の一体成型収納容器内の格納庫に指先で着脱が平易に実施でき、人肌に直接接触も可能とするシステムであり、円形又は非円形の一体成型収納容器の外周部の上下に環状形に施設されたつば状突出部で基体の貫通穴周辺部を上下から挟み込み、基体からの位置ずれを防ぎ、強固に密着させる収納装置のシステムであり、一方で収納容器内の格納庫から指先で平易に電子機器を取り出し、使用中の基体に付着した汗、匂い又は汚れは日常的に洗濯水等を使用した手洗いですすぎ落とし、そのまま乾燥させ基体の衛生的清潔さ及び美的外観を常時維持できる収納システム。
【請求項２】
基体の貫通穴に施設された一体成型収納容器内の格納庫の内側環状上部の開放部の環状に沿って内向きに施設された薄く狭い帯状の蓋い幕と格納庫の内壁側面に施設された帯状の環状極浅凹部を併用する方法で各種電子機器の上面を平易に指先で圧入し、格納及び保持し、他方で格納及び保持されている各種電子機器の裏面を指先で押し出す方法で各種電子機器を一体成型収納容器内の格納庫に指先で着脱する操作を平易に且つ迅速に実施でき、必要に応じて人肌に直接接触も可能な機能を有する請求項１に記載された収納システム。
【請求項３】
歩度計量計、カロリー消費計、スコアカウンター、その他の運動値測定機器、心拍計、血圧計、脈拍計、体温計その他の健康値測定機器、測定値解析器、眠気警告器、ＧＰＳ端末、時計、スマートウオッチ、ストップウオッチ、宝飾品、ＬＥＤライト、各種情報受発信端末器、充電機器、及び電池を単体又は複合体で搭載した単一又は複数の円形又は非円形の電子機器を、消費者の使用目的に応じてソフトな布製（蓄光性を帯びた素材及びセンサー因子を織り込んだ素材を含む）リストバンド、ヘアー・バンド、グローブ、ソックス、ストラップ、帽子、シューズ、その他身の回り品、及び衣服類の基体の貫通穴に施設された単一又は複数の円形又は非円形の一体成型収納容器内の格納庫に指先で着脱の操作が平易にでき、必要に応じて人肌に直接接触も可能で消費者の健康増進の補助手段として貢献する請求項１及び２に記載された収納システム。
【請求項４】
請求項１，２、３に記載された収納システムは、従来技術で必要とされている複数の構成部品を不要とし、更に従来技術の複雑な製造工程も不要とし、更に従来技術で採用されていた硬性樹脂でなく、新たなに弾力性ある合成樹脂又は半柔軟性合成樹脂の素材に一体成型収納容器を製造する方法を採用し、コストの低減化を実現し、消費者が円形又は非円形の電子機器を指先で圧入、押し出す操作で日常的に各種電子機器を基体から取り外し基体に付着した汗、匂い、汚れを洗濯水等の手洗いですすぎ落し、平易に乾燥できる収納装置であり、又着用者が各種電子機器を基体から取り外してポケット等に別途収納し、もっぱら基体を汗拭き汗ぬぐいに便利でソフトな布製リストバンドとして利用でき、更に電子機器の電池交換、充電の操作も平易に実施でき、電子機器を人肌に直接接触も可能とする請求項１，２，３に記載された収納システム。
【請求項５】
基体の貫通穴の切り口とその周辺部は機能劣化の早い接着剤は使用せず、周辺部の帯状部分を刺繍加工し硬化させ、切り口の布端のほつれ、ほぐれの発生を防止し、一体成型収納容器の外周部上下につば状突出部を環状形に施設し、刺繍加工で硬化された基体の貫通穴の切り口の周辺部帯状部分をつば状突出部で上下から挟み込み、一体成型収納容器の外周部上下に環状形に施設されたつば状突出部に複数の刺繍穴を施設し、更につば状突出部の中央隙間に挟み込まれている基体の同位置に複数の刺繍穴を施設し、同一刺繍糸で刺繍止めし、一体成型収納容器を基体に強固に固着し、本発明のリストバンドを手首に収納する際に発生する引張り圧力で基体から一体成型収納容器が離脱又はズレ動くのを防止し、併せて両者の位置関係を固定する方法を新しく採用した請求項１，２，３，４に記載の新しい収納システム。
【請求項６】
衝撃に敏感な超精密電子部品を搭載した電子機器類を収納した硬性合成樹脂でなく柔軟性のある合成樹脂又は半柔軟性合成樹脂を素材とした一体成型収納容器は超精密電子機器類が受ける外部からの衝撃に対して衝撃吸収材としての役割を果たし、超精密電子機器類を衝撃から保護し、従来技術の硬性合成樹脂収納容器に比して、衝撃に敏感な超精密電子部品の寿命を長期期間にわたり保全、維持し、消費者の多様な運動、または活動に耐えうる安心安全の信頼性を提供する請求項１，２，３，４，５に記載の新しい収納システム。
【発明の詳細な説明】
【技術分野】
【０００１】心拍計、血圧計、体温計、他健康値測量機器、歩数計、カロリー消費計、他運動値測量器、各種情報通信端末等の単一体又は複合体を搭載した円形又は非円形電子機器類を汗ぬぐい、汗ふきに便利で人肌に優しいソフトな布製（蓄光性を帯びた布製も含む）リストバンド、時計バンド、ストラップ、その他身の回り品、及び衣服類の基体に施設された単一又は複数の円形又は非円形収納容器内の格納庫に平易に着脱でき、人肌に直接接触も可能な収納システムに関する
【背景技術】
【０００２】リストバンド、時計バンド、ストラップ、その他身の回り品、及び衣服類の基体に施設された円形収納容器に時計、宝飾品、ＬＥＤ照明灯、スコアカウンター、各種健康値測量機器、各種運動値測定機器、各種情報通信端末器又各種センサー類を搭載した円形電子機器を装着及び取り出すための収納装置はある。（例えば特許文献１、２，３，４、８参照）
或いは非円形電子機器を布製リストバンド（例えば特許文献５参照）に収納する装置、又は非円形電子機器を一般時計バンド（例えば特許文献６）に収納する装置はあり、或いは小型装着器具を着脱可能に特殊加工された一般時計バンド（例えば特許文献７）に収納する装置もある。
【先行技術文献】
【特許文献】
【０００３】
【特許文献１】  実用新案登録第３１９３６４１号
【特許文献２】  特開平７−２１７６４１
【特許文献３】  実願昭５９−０７１１２２号
【特許文献４】  実願昭６１−０９０９７０号
【特許文献５】  特表２００８−５２０６４１
【特許文献６】  特表２０１５−５３１２６８
【特許文献７】  特開２０１５−２０２２１４
【特許文献８】  特願２０１５−２１８８７３
【発明の概要】
【発明が解決しようとする課題】
【０００４】この発明は、次の問題の解決を議題とする。
従来技術１（特許文献１に記載の［請求項１］を参照）に於いては、各種電子機器を収納する円柱管又は異形箱等の小型収納容器を基体に固着させる具体的技術が欠落している問題。【０００５】従来技術２（特許文献２に記載の［請求項２］を参照）に於いては、電子機器の取り付け部材とケースの垂直円筒部とによる収納装置の形成は開示されているが、非円形電子機器の収納には対応できない構造上の問題。【０００６】更に従来技術２（特許文献２に記載の［００１５］及び［００１６］を参照）では、時計ケースを収納する装置としてソケット部材に施設した弾性部材のクランプ爪の弾性力を活用すると開示されているが、弾性部材のクランプ爪のみの収納保持力は脆弱であり、外部からの衝撃が加わった際には時計ケースが容易に収納容器から飛び出し落下してしまう問題。【０００７】従来技術３（特許文献３に記載のページ４及び５を参照）では逃げを有する板状固定部材として布地等の基体が開示されているが、汗ぬぐい、汗ふきに便利でソフトな布製リストバンドを基体とした場合、布地の貫通穴の切り口に発生する布端のほつれ、ほぐれを封じ込めるための技術が欠落している問題。【０００８】従来技術３（特許文献３に記載のページ４、５及び６を参照）では、時計側用胴にネジ式の係合部位を設置し、該係合部位に係合する部位を有する平面形状が円形の別部材を構成することが開示されているが、ネジ式係合装置に必要な回転係止装置及び回転係止を開放する装置、更に位置決め装置も欠落している問題。【０００９】従来技術４（特許文献４のページ７を参照）では、時計Ａをバンドａの取り付け孔３内に取り付け、時計Ａを取り外す場合には、上取付体ｂの上座部５とバンドａの取付環２との間にドライバーの先端等を挿入し、先端等でこじて上取付体ｂを外す着脱技術が開示されているが、この着脱技術を実施する場合、ドライバーの先端が上座部５と取付環２との双方に損傷を惹起し、損傷を回避するためにその都度特殊な工具と特殊な技能を必要とする特殊性と非日常性に直面する問題。【００１０】従来技術５（特許文献５のページ（７）記載の［００１９］を参照）では、長方形のケース３１を布製リストバンドの基体に施設された複数部品で構成された長方形の収納容器に収納する技術が開示されているが、上下に２分割された固定要素３２ａ及び３２ｂとで中央のケース３１を上下から支えるだけの支持機能に留まり、固定要素相互の連結のための着脱機能を欠いた単純な支持装置であり、ケース３１を強固に保持し且つケース３１を平易に取り出せる着脱の機能が欠落している問題。【００１１】更に従来技術５（特許文献５のページ（６）記載の［００１４］を参照）では、上下に２分割された半硬性材料の補強構造２３の存在のみでソフトな布製リストバンドの貫通穴の切り口から発生する布端ほつれ、ほぐれを制限できるとしているが、半硬性材料の補強構造２３の抑え込みのみに依存による布端ほつれ、ほぐれの発生防止機能は極めて脆弱であり、又弾力性に富んだ布製リストバンドを手首に装着するときに発生する引張り力がリストバンドの基体と補強構造２３の相互とに作用し、その結果リストバンドと補強構造２３とが容易な離脱又はズレ動を惹起する構造上の欠陥問題。【００１２】従来技術６（特許文献６のページ（６）に記載の［０００９］を参照）では、一般的な時計バンド１４と長方形のフィットネスモニター１０を収納したハウジング１２と連結する技術としてネジ又は他の固定部材と一体的に連結された上部又は下部を含めることができると開示されているが、消費者が屋内外の活動で発汗する汗をぬぐい或いは汗を拭くのに便利でソフトな布製リストバンドに長方形のフィットネスモニター１０を収納する機能の欠落、更にフィットネスモニター１０を基体から平易に着脱できる機能も欠落している問題。【００１３】従来技術７（特許文献７のページ３に記載の［０００７］（２）を参照）では、小型装着器具をプラット・ホームたる装着ケース上に着脱できると開示されているが、心拍計、血圧計、脈拍計、体温計等の生体情報を人肌に直接接触させてより精度の高い生体情報を収集し消費者の健康値を測定、分析する必要性が求められている場合、電子機器類の高度な情報収集機能はプラット・ホームで隔絶又は遮断され、機能発揮が困難な問題。【００１４】従来技術８（特許文献８の請求項１）では、円形挿入機器の外周部と円形収納容器の内周部とに螺旋形の雄雌ネジ構造を施設し、円形挿入機器を螺旋回転で円形収納容器に着脱する方式が開示されているが、非円形挿入機器を非円形収納容器に着脱する方法が欠落している問題
【課題を解決するための手段】
【００１５】本発明においては、汗拭き、汗ぬぐいに便利でソフトな布製リストバンドの基体に円形又は非円形の貫通穴を単数又は複数施設し、貫通穴の周辺部には接着剤の採用の場合に自然発生する接着剤固有の機能劣化による接着の瓦解を回避し、帯状の刺繍加工を生地に施し生地の硬化を図り、ソフトな布製の基体の貫通穴の切り口の布端ほつれ、ほぐれの発生を防止し、円形又は非円形の収納容器の外周部上下端部に施設されたつば状突出部で基体の貫通穴の周辺部上下を挟み込み、更に上下のつば状突出部分の環状に沿って複数の刺繍穴をつば状突出部に施し、刺繍糸で硬化された基体をつば状突出部分と一体で縫い止めし基体を固着化し、消費者が手首に装着する際に発生する引張り力に影響され収納容器が基体から離脱又はズレ動くのを阻止する機能を新たに装備した収納システムを提案する【００１６】室内外でのフィットネス、卓球、ランニング、ジョギング、ウォーキング、テニス、バスケットボール、バドミントン、バレーボール、ゲートボール、ゴルフ、サイクリング、野球等のスポーツ活動で、汗拭き、汗ぬぐいに便利で人肌に優しいソフトな布製（蓄光性を帯びた布製を含む）リストバンド、ヘアー・バンド、グローブ、ソックス、シューズ、帽子、ストラップ、その他身の回り品、及び衣服類等の基体に付着した汗、匂い又は汚れ等を平易に取り除くために、それぞれ円形又は非円形の歩数計等各種電子機器を基体に施設された円形又は非円形の収納容器内の格納庫から平易に取り外し、基体に付着した汗、匂い、汚れを洗濯水等の手洗いですすぎ落し、乾燥させることにより基体を清潔にし、良好な衛生状況を保ちながらその美的外観を損なうことなく、消費者が健康増進補助用品として常時使用できる平易な着脱装置を持つ収納システムを構築し、更に活動時の必要に応じて歩数計等各種電子機器を基体から取り外しポケット等に別途保持し、人肌に優しいソフトな布製リストバンドをもっぱら汗拭き、汗ぬぐい用としてそのまま着用できる利便性のある新たな収納システムを提案する。【００１７】更に本発明品は、人肌に優しいソフトな布製リストバンド等の基体の単数又は複数個所に施設された円形又は非円形収納容器内の格納庫に各種の円形又は非円形電子機器の形状を挿入可能な形状に仕上げ、消費者が同一基体に施設された単数又は複数の各種円形又は非円形収納容器内の格納庫に、その使用目的別に該当する円形又は非円形電子機器、例えば、スマートウオッチ、歩数計測器、心拍計測器、血圧検索機、体温測定器、脈拍測定器、測定値解析器、カロリー消費計測器、各種センサー、眠気警告器、ＧＰＳ端末、スコアカウンター、ストップウオッチ、その他情報受発信端末、電池、充電器等の単一機能又は複合機能を搭載した円形又は非円形の各種電子機器をＴＰＯに応じて選択し着脱でき、必要に応じて人肌に直接接触できる可能性もある便利な収納システムを新たに提供する。【００１８】本発明の汗拭き、汗ぬぐいに便利な布製リストバンドに歩数計等の円形又は非円形電子機器類を硬性合成樹脂でなく柔軟性ある合成樹脂又は半柔軟性の合成樹脂を素材とした円形又は非円形収納容器内の格納庫内周壁面に施設された帯状の環状極浅凹部と、内周壁面環状上部に施設された円形又は非円形電子機器の外周上面端部を覆う薄く狭い環状幕とで、円形又は非円形電子機器の上面から円形又は非円形収納容器内の格納庫に円形又は非円形電子機器を指先で圧入格納を可能とし、他方で格納された円形又は非円形電子機器を裏面から指先で押し出しを可能とし、日常的に且つ平易に指先で着脱操作が可能な柔軟性ある合成樹脂か半柔軟性合成樹脂を一体成型収納容器の構成素材として採用し、簡易な一体成型で製造できる単一構成部品であり、従来技術で必要とされた複数の構成部品の点数を削減し、且つ従来技術で必要とされた複数の製造工程も削減し、結果として従来技術による収納容器に係る全体構成を革新した収納システムを新たに提供する。【００１９】本発明は、人肌に優しいソフトな布製のリストバンドの基体に施設される一体成型収納容器が手首の湾曲面にフィットしやすくするために、一体成型収納容器の底面構造を従来技術のままの扁平構造ではなく消費者の手首の湾曲面に沿ったカーブを持った構造とし、消費者の着用時に人肌に優しい着用感触を提供するために従来技術にて採用されていた硬性な合成樹脂でなく、柔軟性ある合成樹脂かあるいは半柔軟な合成樹脂を採用した一体成型収納容器で構成する収納システムを新たに提供する。
【発明の効果】
【００２０】本発明の導入により、従来技術１（特許文献１参照）に於いて各種電子機器を収納した小型収納容器を基体に固着する具体的な技術の欠落問題を改善し、更に従来技術２，３，４（特許文献２．３．４，８参照）の各種収納容器を構成している複数の構成部品の点数と多数の製造工程の必要性を解消し、新たに柔軟性ある合成樹脂又は半柔軟性合成樹脂の一体成型による構成部品の単一化と製造工程の簡略化を実現し、円形又は非円形の一体成型収納容器内に消費者の指先で平易に着脱できる廉価で新しい収納システムが実現され、消費者が志向する健康増進活動の一環としてウォ―キング等を実施する際に時計、歩数計等を装着した汗ぬぐい、汗拭きに便利で人肌に優しいソフトなリストバンドの利用機会を拡大し、消費者の廉価な健康増進補助用品として広く普及できる新しい効果を提案する。【００２１】更に従来技術で採用されていた硬性の合成樹脂でなく、柔軟性ある合成樹脂又は半柔軟性合成樹脂の一体成型収納容器の新たな導入により、従来技術５（特許文献５参照）の布製リストバンドの基体に施設されている複雑な収納装置を構成する複数の硬質樹脂成型部品点数と複数の製造工程を併せて削減し、結果として従来技術との対比においてコストの低廉化が実現できる経済上の効果と合わせて、従来技術に加えて新たに消費者に各種電子機器を汗拭き汗ぬぐいに便利で人肌に優しいソフトな布製リストバンドに指先で平易に着脱できる収納システムを提供でき、消費者の健康増進志向に貢献できる廉価な健康活向上補助用品として広く普及できる新たな効果を発揮できる。【００２２】更に従来技術６（特許文献６参照）では開示されていないが、本発明の円形又は非円形の一体成型収納容器内の格納庫に着脱する収納システムを従来技術に追加導入することにより、新しく汗拭き汗ぬぐいに便利で人肌に優しいソフトな布製リストバンドの基体にフィットネスモニターの着脱が指先で可能となり、円形又は非円形のフィットネスモニターを平易に指先で基体から取り出し、屋内外での活動時に基体に付着した汗、匂い又は汚れを洗濯水等で軽くすすぎ落とし、その乾燥を日常的に実施し、消費者が汗拭き汗ぬぐいに便利で人肌に優しいソフトな布製（蓄光性を帯びた素材製も含む）リストバンドの基体を常時清潔で良好な衛生状況を保ち、更に美的外観を常時維持できる革新的な利便性を消費者に新しく提供できる効果が実現できる。【００２３】本発明の導入により、消費者が屋内外で野球、ソフトボール、ゲートボール、ゴルフ、テニス、バドミントン、卓球、フィットネス、ジョギング、ウォーキング、マラソン、サイクリング、ハイキング等の活動に際し、必要とあれば基体に収納中の電子機器類を収納容器から指先で平易に取り出しポケット等に別途格納し、人肌に優しいソフトな布製（蓄光性を帯びた素材製も含む）リストバンドをもっぱら汗拭き汗ぬぐい用として利用できる便利さを提供できる新しい効果を実現できる。【００２４】本発明の導入により、円形又は非円形の各種電子機器の機能に応じて、各種の基体に施設された単一又は複数の円形又は非円形収納容器内の格納庫に着脱できる形状に仕上げられた円形又は非円形各種電子機器を多様化するライフ・シーンに合わせて選択し、円形又は非円形収納容器のそれぞれに自在に着脱できる効果を提案し、更に円形又は非円形電子機器を人肌に直接接触させる場合、又は垂直に長い円形又は非円形電子機器を着脱する場合、基体の貫通穴に施設される円形又は非円形の一体成型収納容器とその内部の格納庫の形状を個別に調整製作しそれぞれに対応が可能な新しい効果も提案できる。【００２５】本発明は硬性合成樹脂でなく柔軟性ある合成樹脂又は半柔軟合成樹脂を素材として採用した一体成型収納容器が持つ弾力性に富んだ耐震機能は、超精密部品で構成された各種電子機器類が外部から受ける衝撃に対する衝撃吸収材又は緩衝材の役割を果たし、超精密部品を衝撃から保護し、各種電子機器類の破損又は故障の発生を低減し、各種電子機器類の耐用年数を長期化し、消費者が信頼できる安心安全に貢献し、従来技術１，２，３，４，５，６、８（特許文献１，２，３，４，５，６，８参照）で採用している硬性合成樹脂製の収納容器に比して革新的な効果を新しく提案できる。
【産業上の利用可能性】
【００２６】本発明は、汗拭き汗ぬぐいとして便利で人肌に優しいソフトな布製（蓄光性を帯びた布製を含む）リストバンド、時計バンド、ヘアー・バンド、グローブ、ストラップ、帽子、シューズ、ソックスその他身の回り品、及び衣服類の各種基体にカロリー消費計、歩数計、気圧計、スコアカウンター、その他運動値測定器、眠気警告器、血圧計、心拍計、体温計、その他健康値測定機器、情報受発信端末器、各種情報解析端末機、各種センサー類、ＧＰＳ端末、スマートウオッチ、電源装置を単体又は複合体で搭載した単一又は複数の各種円形又は非円形電子機器を従来技術で採用されていた硬性合成樹脂でなく柔軟性ある合成樹脂製又は半柔軟性合成樹脂製の円形又は非円形収納容器内格納庫に指先で着脱できる新しい収納システムの製造に於いて、従来技術の複雑な製造工程及び多数の構成部品点数を削減し従来コストに比してコストの低減化と量産化を実現し、消費者の健康生活向上のための廉価な健康生活向上補助用品として提案し、革新的でかつ廉価な新製品として広い普及を可能とする産業上の効果を新しく提案できる。
【図面の簡単な説明】
【００２７】
【図１】本発明の実施形態の一例として、正方形の歩数計を布製リストバンドの基体に施設された一体成型収納容器の上部に構築された環状のつば状突出部に薄く細い蓋い幕と一体成型収納容器内の格納庫とで保持された布製リストバンドの完成品の斜方向からの立体外観図である
【図２】同じく正方形の歩数計を一体成型収納容器内の格納庫に格納及び保持した布製リストバンドの完成品の正面外観図である。
【図３】同じく正方形の歩数計を一体成型収納容器の上部及び下部に構築された環状のつば状突出部とで布製リストバンドを挟み込み、布製リストバンドの基体に施設された一体成型収納容器内の格納庫と収納容器外周上部の内向きに施設された細く薄い蓋い幕とで格納及び保持した完成品の側面外観図である。
【図４】布製リストバンドの貫通穴の切り口と周辺部の生地に帯状の刺繍加工で硬化強化し、基体の切り口と周辺部を一体成型収納容器外周部上下のつばの環状突出部で挟み込み、基体を固着させた側面の断面図である
【図５】布製リストバンドの基体の貫通穴に施設された一体成型収納容器内の格納庫の外壁側面環状上部に内側に向かって施設された薄く細い帯状の覆い幕と格納庫の内壁側面に施設された帯状極浅凹部とで正方形の歩数計を格納及び保持した一体成型収納容器の側面断面図である。
【図６】基体の貫通穴とその周辺部を挟み込む一体成型収納容器外周部上部及び下部のつば状の環状突出部と基体に複数の刺繍穴を同一個所に施設し、刺繍糸で縫い止めし、基体から収納容器が離脱もしくはズレ動くのを防止し、基体と収納容器を固定化し、接着剤を使用しない一体成型収納器側面の斜方向からの断面図である。
【図７】正方形の歩数計外周部側面を包み込み一体成型収納容器内に格納保持するために基体の貫通穴に施設された一体成型収納容器内の格納庫内壁面に施設された帯状極浅凹部を示す斜方向からの側面断面図
【発明を実施するための形態】
【００２８】以下、本発明の実施の形態を図１〜図７に基づいて説明する。
【００２９】図１において、人肌に優しいソフトな布製リストバンドの基体１ａの貫通穴１ｂ（図示されず）に施設された一体成型収納容器２（図示されず）の上部につば状の環状突出部２ａに施設された内向きの狭く薄い蓋い幕２ｆと一体成型収納容器２（図示されず）内の格納庫２ｄ（図示されず）に正方形の歩数計４ａを格納及び保持したリストバンドの完成品の斜方向からの全体の立体外観図を示す。
【００３０】図２において、人肌に優しいソフトな布製リストバンドの基体１ａの貫通穴１ｂ（図示されず）に施設された一体成型収納容器２（図示されず）上部の環状型の薄く狭い内向きの蓋い幕２ｆと一体成型収納容器２（図示されず）内の格納庫２ｄ（図示されず）とで正方形の歩数計４ａの外周側面を格納及び保持した完成品の正面からの全体の外観図である。
【００３１】図３に於いて、同じく人肌に優しいソフトな布製リストバンドの基体１ａの貫通穴１ｂ（図示されず）に施設された一体成型収納容器２の下部に施設されたつば状の環状突出部２ａと上部に施設されたつば状の環状突出部の環状方向に施設された内側向きの細く薄い蓋い幕２ｆと一体成型収納容器２（図示されず）内格納庫２ｄ（図示されず）の内壁に施設された帯状薄型凹部２ｅ（図示されず）とで正方形の歩数計４ａの外周側面が格納及び保持されている完成品の側面の外観図である。
【００３２】図４に於いて、正方形の歩数計４ａを着脱するために、ソフトな布製リストバンドの基体１ａの貫通穴１ｂの切り口と周辺部に刺繍加工され硬化した帯状部分１ｃを施設し、切り口布端のほつれ及びほぐれが発生するのを防止し、一体成型収納容器２の外周部上部及び下部にそれぞれ施設されたつば状の環状突出部２ａで基体１ａを挟み込み、一体成型収納容器２を基体１ａに固着させた構造の側面断面図である。
【００３３】図５において、ソフトな布製リストバンドの基体１ａの貫通穴１ｂに施設された一体成型収納容器２の外周側面の環状上部に施設された内側に向かった薄く狭い帯状の蓋い幕２ｆと格納庫２ｄの内壁側面に施設された帯状極浅凹部２ｅとで正方形の歩数計４ａの外周側面を包み込み格納及び保持した一体成型収納容器２の側面断面図である。
【００３４】図６に於いて、ソフトな布製リストバンドの基体１ａの貫通穴１ｂの切り口と周辺部を挟み込む一体成型収納容器２の外周部上下に施設されたつば状の環状突出部２ａと基体１ａとを一体に複数の刺繍穴２ｂを施設し、刺繍糸２ｃで縫い止めし、一体成型収納容器２が基体１ａから離脱もしくはズレ動くのを防止し、両者の位置関係を固定するために施設された一体成型収納容器２のつば状の環状突出部分２ａの斜方向の断面図である。
【００３５】図７に於いて、布製リストバンドの基体１ａの貫通穴１ｂに施設された一体成型収納容器２内の格納庫２ｄ内周壁面に施設された帯状極浅凹部２ｅの構造を斜め方向から外観した断面図である。
【符号の説明】
【００３６】１ａ……基体
１ｂ……基体の貫通穴
１ｃ−基体の貫通穴の切り口と周辺部の生地が刺繍加工され硬化された帯状部分。
２―  一体成型収納容器
２ａ……一体成型収納容器外周部の上部と下部に施設されたつば状の環状突出部分
２ｂ……刺繍穴
２ｃ……刺繍糸
２ｄ……一体成型収納容器内の格納庫
２ｅ……一体成型収納容器内の格納庫の内周壁面に施設された帯状極浅凹部
２ｆ−  一体成型収納容器の外周側面の環状上部に施設された内側向きの薄く狭い環状形の覆い幕
４ａ……正方形の歩数計
４ｂ−  正方形の歩数計の外周部側面
【図１】
2017197893.tif 000003
【図２】
2017197893.tif 000004
【図３】
2017197893.tif 000005
【図４】
2017197893.tif 000006
【図５】
2017197893.tif 000007
【図６】
2017197893.tif 000008
【図７】
2017197893.tif 000009